(57)【要約】      （修正有）【課題】自動搬送式納骨堂における共用墓石を利用しての納骨式や参拝の際、厨子に取り付けられた墓碑が露出する、共用墓石の窓枠が落下により損傷したり、墓石を傷つける恐れがない自動搬送式納骨堂を提供する。【解決手段】堂内に設置され、正面に窓部を設けた共用墓石と、それぞれ、墓碑が刻印された墓碑銘板を取付けた複数の遺骨収納厨子と、窓部の周縁を覆うように、共用墓石の正面側から設けられる窓枠とを有し、参拝者による複数の遺骨収納厨子の１つの選択によって堂内で自動搬送され、共用墓石に組み込まれ、刻印された墓碑が窓部に露出するようにした自動搬送式納骨堂１０において、窓枠は、窓部の周縁を開放した控え位置と、窓部の周縁を覆う目隠し位置との間で往復移動可能なように、共用墓石により固定支持される窓枠固定支持手段を有する、ことを特徴とする自動搬送式納骨堂１０。【選択図】図１
2017036593.tif 000002
【特許請求の範囲】
【請求項１】
堂内に設置され、正面に窓部を設けた共用墓石と、それぞれ、墓碑が刻印された墓碑銘板を取付けた複数の遺骨収納厨子と、該窓部の周縁を覆うように、該共用墓石の該正面側から設けられる窓枠とを有し、参拝者による前記複数の遺骨収納厨子の１つの選択によって堂内で自動搬送され、前記共用墓石に組み込まれ、刻印された前記墓碑が前記窓部に露出するようにした自動搬送式納骨堂において、
前記窓枠は、前記窓部の周縁を開放した控え位置と、前記窓部の周縁を覆う目隠し位置との間で往復移動可能なように、前記共用墓石により固定支持される窓枠固定支持手段を有する、
ことを特徴とする自動搬送式納骨堂。
【請求項２】
前記共用墓石には、正面側開口が前記窓部を構成する、断面矩形の貫通穴が設けられ、
前記窓枠固定支持手段は、前記貫通穴に対して前記窓部から内嵌可能な断面略コの字の嵌め込み部材を有し、
該嵌め込み部材は、前記窓枠に連結されるとともに、前記窓枠側の端部に、張り出しフランジ部を有し、
前記張り出しフランジ部を共用墓石の正面に当接させることにより、前記嵌め込み部材を共用墓石に対して固定する、請求項１に記載の自動搬送式納骨堂。
【請求項３】
前記嵌め込み部材は、互いに平行な第１プレートおよび第２プレートと、該第１プレートの縁および該第２プレートの対応する縁を接続し、該第１プレートおよび該第２プレートに対して直交する第３プレートを有し、
前記第１プレート、前記第２プレートおよび前記第３プレートそれぞれの前記窓枠側の端縁部に、前記張り出しフランジ部が設けられ、
前記第１プレート、前記第２プレートおよび前記第３プレートそれぞれの外表面が、前記貫通穴を構成する共用墓石の内面に当接する当接面を形成する、請求項２に記載の自動搬送式納骨堂。
【請求項４】
前記共用墓石の裏面の前記貫通穴の開口の底面レベルに、前記共用墓石の裏面まで及ぶ厨子搬送用コンベアが設けられ、
前記貫通穴の窓枠側の開口の下縁部には、開口に向かって突出する厨子ストッパーが搬送装置側に設けられ、
該厨子ストッパーは、厨子を挿入または取り出すことを容易とするために前記共用墓石に対して着脱自在に設けられ、
前記第１プレート、前記第２プレートおよび前記第３プレートは、一体の金属製であり、
前記第１プレートおよび前記第２プレートそれぞれの前記第３プレートに接続する縁と対向する縁には、前記厨子ストッパーに向かって延びる補助プレートがさらに設けられ、
該補助プレートの外表面が、前記貫通穴を構成する共用墓石の内面に当接する補助当接面を形成するとともに、前記窓枠側の端縁部には、補助張り出しフランジ部が設けられる、請求項３に記載の自動搬送式納骨堂。
【請求項５】
前記厨子ストッパーは、第１プレート部と、第１プレート部に対して直交する第２プレート部とを有する、Ｌ字断面をなすプレート状であり、
前記第１プレート部の一方のプレート面が、前記厨子に対する当接面を構成するとともに、他方のプレート面が、前記窓部から外方に臨むように設けられ、それにより、前記窓枠が目隠し位置にあるときに、前記窓枠の裏面に対する当接面を構成する、請求項４に記載の自動搬送式納骨堂。
【請求項６】
前記第１プレート、前記第２プレートおよび前記第３プレートそれぞれの幅は、共用墓石の厚みより若干大きく設定され、
いずれかのプレートの前記窓枠側と反対の縁部に沿って、縁部のわきに帯状プレートが付設され、
帯状プレートには、雌ネジ部が前記第１プレート、前記第２プレートおよび前記第３プレートの幅方向に延びるようにナットが固定され、
ナットの雌ネジ部に螺合可能な雄ネジ部を有するネジをナットに螺合することにより、ネジの先端が共用墓石の裏面を正面方向に移動させ、前記共用墓石と前記嵌め込み部材との相対位置関係の微調整を行う、請求項５に記載の自動搬送式納骨堂。
【請求項７】
前記第３プレートの前記窓枠側の端縁部には、前記窓枠の一方の外縁に沿って設けられたヒンジ軸と、前記窓枠の一方の外縁に付設され、該ヒンジ軸を中心に回転可能に該ヒンジ軸に対して外嵌する第１外嵌部と、前記窓部の前記一方の外縁に対応する前記第３プレートの外縁に付設され、該ヒンジ軸を中心に回転可能に該ヒンジ軸に対して外嵌する第２外嵌部とが設けられ、前記窓枠は、前記窓部の周縁を開放した控え位置と、前記窓部の周縁を覆う目隠し位置との間でヒンジ式に往復移動可能である、請求項３ないし請求項６のいずれか１項に記載の自動搬送式納骨堂。
【請求項８】
さらに、一端が記窓枠の裏面の対向する一対の外縁それぞれの近傍に対してピン支持された第１ストラットと、一端が前記第１および第２プレートそれぞれの内面の前記一対の外縁それぞれに対応する外縁近傍に対してピン支持された第２ストラットとを有し、
前記第１ストラットの各々の他端部と対応する前記第２ストラットの他端部とは、長手方向に摺動可能に嵌合されるとともに、長手方向の所望の位置において固定保持するように構成され、
前記窓枠は、前記控え位置と前記目隠し位置との間の任意位置において、固定保持可能である、請求項５に記載の自動搬送式納骨堂。
【請求項９】
前記窓枠固定支持手段は、前記窓枠の対向する一対の外縁それぞれに沿って設けられた被案内凹部または被案内凸部と、前記窓部の前記一対の外縁それぞれに対応する、前記第３プレートの部位に、該被案内凹部または該被案内凸部に摺動可能に嵌合する該案内凸部または該案内凹部とが設けられ、前記窓枠は、前記窓部の周縁を開放した控え位置と、前記窓部の周縁を覆う目隠し位置との間でスライド式に往復移動可能である、請求項３ないし請求項６のいずれか１項に記載の自動送式納骨堂。
【請求項１０】
前記窓枠は、石製、金属製、樹脂製、ガラス製、および木製の群のいずれかの材質である、請求項１ないし請求項９のいずれか１項に記載の自動搬送式納骨堂。
【請求項１１】
前記窓枠は、環状枠部により形成される矩形開口を有し、前記環状枠部の幅は、前記窓部から露出する前記墓碑の大きさに応じて定められ、該矩形開口を形成する内周縁に向かって下方へ傾斜する、請求項１０に記載の自動搬送式納骨堂。
【請求項１２】
前記環状枠部の裏面は、平面状をなし、前記窓枠が目隠し位置に位置するとき、前記張り出しフランジ部に対する当接面を構成する、請求項１０に記載の自動搬送式納骨堂。
【請求項１３】
前記厨子ストッパーは、磁性金属製であり、前記環状枠部の裏面において、目隠し位置の前記窓枠の前記厨子ストッパーに相当する部位には、磁石が設けられ、前記厨子ストッパーと協働して、前記窓枠を目隠し位置に保持する、請求項１０に記載の自動搬送式納骨堂。
【発明の詳細な説明】
【技術分野】
【０００１】
本発明は、自動搬送式納骨堂に関し、より詳細には、自動搬送式納骨堂における共用墓石を利用しての納骨式、その後の参拝の際、厨子に取り付けられた墓碑が露出する、共用墓石の窓部の窓枠を不用意に落下して、窓枠を損傷したり、墓石を傷つける恐れなく、円滑な納骨式および参拝を可能とする自動搬送式納骨堂に関する。
【背景技術】
【０００２】
少子高齢化の進行する我が国において、出生数が減少し続けるのに対し、死亡者数は急増することが予想されている。その結果、死亡者数の急増に伴う墓に対する需要の増加が見込まれる一方、墓の継承者の不在という問題が深刻化している。
その解決策の一つとして、狭い敷地の中に多数の遺骨を収納可能な屋内型納骨堂が提案されており、その需要が特に都市部において増加している。屋内型納骨堂は、一つの建物内に複数の遺骨を安置することが可能であり、効率よく管理し得ることから今後も大きな需要が見込まれている。
【０００３】
屋内型納骨堂の一つである、自動搬送式納骨堂は、たとえば、特許文献１に開示されているように、複数の遺骨を厨子に収納し、共同で使用する共用墓石へ厨子を自動搬送するしくみを採用し、参拝するためにはカードを読み取らせて、厨子を選択し共用墓石まで自動搬送させ、厨子が共用墓石に装着した段階で参拝室の扉が開き、参拝の準備が整うようにしている。
より詳細には、自動搬送式納骨堂は、堂内に設置され、正面に窓部を設けた共用墓石と、それぞれ、墓碑が刻印された墓碑銘板を取付けた複数の遺骨収納厨子と、窓部の周縁を覆うように、共用墓石の正面側から設けられる窓枠とを有し、参拝者による複数の遺骨収納厨子の１つの選択によって堂内で自動搬送され、共用墓石に組み込まれ、刻印された墓碑が窓部に露出するように構成されている。
【０００４】
しかしながら、従来、自動搬送式納骨堂において、納骨式の際、またはその後の参拝の際、窓枠の共用墓石への取り付け、あるいは共用墓石からの取り外しに伴い、以下のような技術的問題点が引き起こされる。
第１に、納骨式の際、骨壷を収納した厨子を共用墓石の窓部から挿入する際、共用墓石からの取り外しの際に、あるいは窓枠を共用墓石へ取り付ける際、あるいは窓枠を不用意に落下し、窓枠を損傷したり、共用墓石を傷付けたりして、納骨式を円滑に遂行するのが困難となる点である。
より具体的には、納骨式とは、遺骨を厨子に納めて、納骨庫へ収納する儀式であり、厨子を共用墓石の窓部に正面側からセットするためには、厨子の外周縁と窓部との間に隙間が必要であるが、正面側にいる納骨式参列者からこの隙間を通して、共用墓石の内部、すなわち、厨子の搬送コンベア等メカニカルな部分が見えてしまい、納骨式の荘厳な雰囲気が損なわれる。
特に、窓枠は共用墓石に合わせて重量物の石製であることが多く、表面がつるつるに研磨されており、作業者が窓枠を手で把持する際、誤って滑って落下させることがある。さらに、窓枠を共用墓石へ取り付ける際、あるいは共用墓石からの取り外し後、重量物である窓枠の置き場所が別途必要となる。
【０００５】
第２に、参拝の際、厨子を自動搬送して共用墓石の内部より窓部に向かって位置決めする際、厨子が窓枠を押し出して、第１と同様に、落下させることがある。
より具体的には、納骨式終了したら、厨子は骨壷を収納した状態でラック等に保管され、共用墓石とラックとの間で自動搬送コンベアにより搬送され、参拝開始により、厨子がラックから共用墓石まで搬送され、参拝終了により、厨子が共用墓石からラックまで搬送されるようにしているところ、参拝者の厨子がラックから共用墓石の内部より窓部に向かって搬送される際、厨子の停止位置の位置ずれにより、厨子が窓枠を窓部から押し出して、第１と同様に、落下させることがあり、円滑な参拝が困難となる。
【０００６】
以上のように、窓枠に起因する上記の問題点は、自動搬送式納骨堂において、共用墓石を利用しつつ、参拝までに遺骨収納厨子のセッティングの準備完了が可能であるという利点を損なわせるものである。
【特許文献１】特開2010-138596号公報
【発明の開示】
【発明が解決しようとする課題】
【０００７】
本願発明の目的は、自動搬送式納骨堂における共用墓石を利用しての納骨式、その後の参拝の際、厨子に取り付けられた墓碑が露出する、共用墓石の窓部の窓枠を不用意に落下して、窓枠を損傷したり、墓石を傷つける恐れなく、円滑な納骨式および参拝を可能とする自動搬送式納骨堂を提供することにある。
【課題を解決するための手段】
【０００８】
上記課題を達成するために、本発明の自動搬送式納骨堂は、
堂内に設置され、正面に窓部を設けた共用墓石と、それぞれ、墓碑が刻印された墓碑銘板を取付けた複数の遺骨収納厨子と、該窓部の周縁を覆うように、該共用墓石の該正面側から設けられる窓枠とを有し、参拝者による前記複数の遺骨収納厨子の１つの選択によって堂内で自動搬送され、前記共用墓石に組み込まれ、刻印された前記墓碑銘板が前記窓部に露出するようにした自動搬送式納骨堂において、
前記窓枠は、前記窓部の周縁を開放した控え位置と、前記窓部の周縁を覆う目隠し位置との間で往復移動可能なように、前記共用墓石により固定支持される窓枠固定支持手段を有する、構成としている。
【０００９】
以上の構成を有する自動搬送式納骨堂によれば、納骨式の際、窓枠固定支持手段により共用墓石により固定支持された状態で、窓枠を控え位置まで移動して、窓部の周縁を開放することにより、骨壷を収納した厨子を窓部より共用墓石に挿入することが可能である。
次いで、窓枠固定支持手段により共用墓石により固定支持された状態で、窓枠を目隠し位置まで移動して、窓部の周縁を覆うことにより、共用墓石の正面側から窓部と厨子の外形との隙間を通じて、共用墓石の奥が見えないようにして、納骨式の荘厳な雰囲気を保持することが可能である。
一方、参拝の際、遺骨収納厨子を共用墓石の内部から窓部に向かって自動搬送式にセットする際、万が一、厨子の位置ズレにより目隠し位置の窓枠を共用墓石の正面側に押し出すことがあるとしても、窓枠は窓枠固定支持手段を通じて共用墓石により常時固定支持されているので、窓枠が落下して損傷したり、共用墓石が傷つくのを未然に防止することが可能である。
以上より、自動搬送式納骨堂における共用墓石を利用しての納骨式、その後の参拝の際、厨子に取り付けられた墓碑が露出する窓部の窓枠を不用意に落下して、窓枠を損傷したり、墓石を傷付ける恐れなく、円滑な納骨式および参拝が可能である。
【００１０】
また、前記共用墓石には、正面側開口が前記窓部を構成する、断面矩形の貫通穴が設けられ、
前記窓枠固定支持手段は、前記貫通穴に対して前記窓部から内嵌可能な断面略コの字の嵌め込み部材を有し、
該嵌め込み部材は、前記窓枠に連結されるとともに、前記窓枠側の端部に、張り出しフランジ部を有し、
前記張り出しフランジ部を共用墓石の正面に当接させることにより、前記嵌め込み部材を共用墓石に対して固定するのがよい。
さらに、前記嵌め込み部材は、互いに平行な第１プレートおよび第２プレートと、該第１プレートの縁および該第２プレートの対応する縁を接続し、該第１プレートおよび該第２プレートに対して直交する第３プレートを有し、
前記第１プレート、前記第２プレートおよび前記第３プレートそれぞれの前記窓枠側の端縁部に、前記張り出しフランジ部が設けられ、
前記第１プレート、前記第２プレートおよび前記第３プレートそれぞれの外表面が、前記貫通穴を構成する共用墓石の内面に当接する当接面を形成するのがよい。
【００１１】
さらにまた、前記共用墓石の裏面の前記貫通穴の開口の底面レベルに、前記共用墓石の裏面まで及ぶ厨子搬送用コンベアが設けられ、
前記貫通穴の窓枠側の開口の下縁部には、開口に向かって突出する厨子ストッパーが設けられ、
該厨子ストッパーは、前記共用墓石に対して着脱自在に設けられ、
前記第１プレート、前記第２プレートおよび前記第３プレートは、一体の金属製であり、
前記第１プレートおよび前記第２プレートそれぞれの前記第３プレートに接続する縁と対向する縁には、前記厨子ストッパーに向かって延びる補助プレートがさらに設けられ、
該補助プレートの外表面が、前記貫通穴を構成する共用墓石の内面に当接する補助当接面を形成するとともに、前記窓枠側の端縁部には、補助張り出しフランジ部が設けられるのがよい。
【００１２】
加えて、前記厨子ストッパーは、第１プレート部と、第１プレート部に対して直交する第２プレート部とを有する、Ｌ字断面をなすプレート状であり、
前記第１プレート部の一方のプレート面が、前記厨子に対する当接面を構成するとともに、他方のプレート面が、前記窓部から外方に臨むように設けられ、それにより、前記窓枠が目隠し位置にあるときに、前記窓枠の裏面に対する当接面を構成するのがよい。
さらに、前記第１プレート、前記第２プレートおよび前記第３プレートそれぞれの幅は、共用墓石の厚みより若干大きく設定され、
いずれかのプレートの前記窓枠側と反対の縁部に沿って、縁部のわきに帯状プレートが付設され、
帯状プレートには、雌ネジ部が前記第１プレート、前記第２プレートおよび前記第３プレートの幅方向に延びるようにナットが固定され、
ナットの雌ネジ部に螺合可能な雄ネジ部を有するネジをナットに螺合することにより、ネジの先端が共用墓石の裏面を正面方向に移動させ、前記共用墓石と前記嵌め込み部材との相対位置関係の微調整を行うのがよい。
【００１３】
さらにまた、前記第３プレートの前記窓枠側の端縁部には、前記窓枠の一方の外縁に沿って設けられたヒンジ軸と、前記窓枠の一方の外縁に付設され、該ヒンジ軸を中心に回転可能に該ヒンジ軸に対して外嵌する第１外嵌部と、前記窓部の前記一方の外縁に対応する前記第３プレートの外縁に付設され、該ヒンジ軸を中心に回転可能に該ヒンジ軸に対して外嵌する第２外嵌部とが設けられ、前記窓枠は、前記窓部の周縁を開放した控え位置と、前記窓部の周縁を覆う目隠し位置との間でヒンジ式に往復移動可能であるのがよい。
加えて、一端が記窓枠の裏面の対向する一対の外縁それぞれの近傍に対してピン支持された第１ストラットと、一端が前記第１および第２プレートそれぞれの内面の前記一対の外縁それぞれに対応する外縁近傍に対してピン支持された第２ストラットとをさらに有し、
前記第１ストラットの各々の他端部と対応する前記第２ストラットの他端部とは、長手方向に摺動可能に嵌合されるとともに、長手方向の所望の位置において固定保持するように構成され、
前記窓枠は、前記控え位置と前記目隠し位置との間の任意位置において、固定保持可能であるのがよい。
【００１４】
また、前記窓枠固定支持手段は、前記窓枠の対向する一対の外縁それぞれに沿って設けられた被案内凹部または被案内凸部と、前記窓部の前記一対の外縁それぞれに対応する、前記第３プレートの部位に、該被案内凹部または該被案内凸部に摺動可能に嵌合する該案内凸部または該案内凹部とが設けられ、前記窓枠は、前記窓部の周縁を開放した控え位置と、前記窓部の周縁を覆う目隠し位置との間でスライド式に往復移動可能であるのがよい。
さらに、前記窓枠は、石製、金属製、樹脂製、ガラス製、および木製の群のいずれかの材質であるのがよい。
【００１５】
さらにまた、前記窓枠は、環状枠部により形成される矩形開口を有し、前記環状枠部の幅は、前記窓部から露出する前記墓碑の大きさに応じて定められ、該矩形開口を形成する内周縁に向かって下方へ傾斜するのがよい。
加えて、前記環状枠部の裏面は、平面状をなし、前記窓枠が目隠し位置に位置するとき、前記張り出しフランジ部に対する当接面を構成するのがよい。
また、前記厨子ストッパーは、磁性金属製であり、前記環状枠部の裏面において、目隠し位置の前記窓枠の前記厨子ストッパーに相当する部位には、磁石が設けられ、前記厨子ストッパーと協働して、前記窓枠を目隠し位置に保持するのがよい。
【発明を実施するための最良の形態】
【００１６】
本発明に係る自動搬送式納骨堂の実施形態を図面を参照しながら、以下に詳細に説明する。
図１および図２に示すように、自動搬送式納骨堂１０は、堂内に設置され正面に窓部１２Ａ、Ｂを設けた共用墓石１４Ａ、Ｂと、それぞれ、墓碑が刻印された墓碑銘板を取付けた複数の遺骨収納厨子１８Ａ、Ｂとを有し、参拝者による複数の遺骨収納厨子１８Ａ、Ｂの１つの選択によって堂内で自動搬送され、共用墓石１４に組み込まれ、刻印された墓碑が窓部１２に露出するようにしている。
【００１７】
より詳細には、図１に示すように、自動搬送式納骨堂１０は、仕切壁７２によって互いに仕切られた２基の共用墓石１４Ａ、Ｂと、共用墓石１４Ａ、Ｂ全体が収容されるブースＢと、共用墓石１４Ａ、Ｂに対して択一的に着脱される遺骨収納厨子１８Ａ、Ｂと、から概略構成される。ブースＢは、背板の上下に天板と基台が設置され、これらの間に固定パネル７４と扉５２Ａ、Ｂとを配置している。各共用墓石１４は、同じ構成であるので、以下、その１つについて説明する。
【００１８】
共用墓石１４Ａ、Ｂは、石塔状の本体１６とその正面に配される香炉台２０と、抹香入れ７８Ａ、Ｂと両端の花立て７６から構成され、本体１６の正面には遺骨収納厨子１８を共用墓石１４の背面から嵌め込むための窓部１２が設けられる。遺骨収納厨子１８は内部に骨壺を収容可能な容器状に構成され、正面には家名、家紋などを表示する銘板部分が設けられ、共用墓石１４Ａ、Ｂに嵌め込んだ際に銘板部分２１（図４）が窓部１２に露出するようにしている。各部材は石材により構成され、家名、家紋などは銘板部分に刻設される。
【００１９】
遺骨収納厨子１８は建物内に、たとえば納骨庫１１内のラックに多数収容され、選択される各々の遺骨収納厨子１８は建物内を循環するコンベア状の搬送装置に載置され、共用墓石１４の背面まで搬送路６４を介して搬送され、進入路６２から共用墓石１４の窓部１２内に押し出されて嵌め込まれるようにしている。
図２に示すように、共用墓石１４には、一端開口が窓部１２を構成する、断面矩形の貫通穴１０４が設けられ、貫通穴１０４を構成する共用墓石１４の底内面は、水平に配置され、共用墓石１４の裏面１６０の貫通穴１０４の開口の底面レベルに、共用墓石１４の裏面１６０まで及ぶ厨子搬送用コンベア１５８が設けられる。これにより、厨子が厨子搬送用コンベア１５８により共用墓石１４の窓部１２に納骨庫１１の保管位置から自動搬送され、参拝終了後には窓部１２から保管位置に自動搬送されるようにしている。
【００２０】
図３に示すように、自動搬送式納骨堂１０の全体制御系は、制御装置８３と、操作指示により各種の制御を行う操作部８４と、遺骨収納厨子１８の搬送を行う搬送装置の搬送駆動部８５と、遺骨収納厨子１８Ａ、Ｂを共用墓石１４Ａ、Ｂに着脱する着脱駆動部８６と、ブースＢの扉５２の開閉を行う扉開閉駆動部８７とを概略有する。
【００２１】
操作部８４においては、操作者、通常は参拝者が、所望の遺骨収納厨子１８の搬送および着脱を指示する。より具体的には、遺骨収納厨子１８毎に利用者にＩＤカードＣを交付し、参拝に際してそのＩＤカードＣを操作部８４のカードリーダー（図示せず）で読み込ませることにより、制御装置８３からの制御信号を搬送駆動部８５および着脱駆動部８６に送信することにより、納骨庫１１に収容されている遺骨収納厨子１８を自動的に搬送して、共用墓石１４に嵌め込むようにする。この場合、遺骨収納厨子１８の搬送および嵌め込み作業中は、扉５２は閉止し、嵌め込み作業完了後は扉５２を開放するように自動制御している。
それに対して、参拝者が参拝終了ボタン（図示せず）により、参拝終了信号が発信されて、扉５２が閉まるようにし、遺骨収納厨子の納骨庫１１内の原位置への戻しも、搬送コンベア１５８により行う。
【００２２】
以下に、窓枠１００について、説明する。窓枠１００は、窓部１２の周縁を覆うように、共用墓石１４の正面側から設けられる。
窓枠１００は、窓部１２の周縁を覆う目隠し位置Ｐ２（図４参照）と窓部１２の周縁を開放した控え位置Ｐ１（図５参照）との間で往復移動可能なように、共用墓石１４により固定支持される窓枠固定支持手段１０２（図６、７参照）を有する。
窓枠１００は、石製、金属製、樹脂製、ガラス製、および木製の群のいずれかの材質である。特に、窓枠１００を石製の重量物とする場合であっても、窓枠１００は、後に説明するように、窓枠固定支持手段１０２により共用墓石１４により固定支持されつつ、目隠し位置Ｐ２と控え位置Ｐ１との間で往復移動可能である。
窓枠１００は、環状枠部により形成される矩形開口１３６を有し、環状枠部の幅は、窓部１２から露出する墓碑の大きさに応じて定められ、矩形開口１３６を形成する内周縁に向かって下方へ傾斜する。
環状枠部の裏面１６０は、平面状をなし、窓枠１００を目隠し位置Ｐ２に移動する際、張り出しフランジ部１０８に対する当接面を構成する。
図６および図７に示すように、窓枠固定支持手段１０２は、貫通穴１０４に対して窓部１２から内嵌可能な断面略コの字の嵌め込み部材１０６を有し、嵌め込み部材１０６は、窓枠１００に連結されるとともに、窓枠１００側の端部に、張り出しフランジ部１０８を有し、張り出しフランジ部１０８を共用墓石１４の正面に当接させることにより、嵌め込み部材１０６を共用墓石１４に対して固定する。
【００２３】
より具体的には、嵌め込み部材１０６は、互いに平行な第１プレート１１０および第２プレート１１２、第１プレート１１０の縁および第２プレート１１２の対応する縁を接続し、第１プレート１１０および第２プレート１１２に対して直交する第３プレート１１４を有する。第１プレート１１０、第２プレート１１２および第３プレート１１４は、一体の金属製であり、嵌め込み部材１０６は、金属プレート枠を構成する。
第１プレート１１０、第２プレート１１２および第３プレート１１４それぞれの窓枠１００側の端縁部に、張り出しフランジ部１０８が設けられる。第１プレート１１０、第２プレート１１２および第３プレート１１４それぞれの外表面が、貫通穴１０４を構成する共用墓石１４の内面に当接する当接面１１６を形成する。
張り出しフランジ部１０８の張り出し幅は、嵌め込み部材１０６の大きさ、特に第１プレート１１０および第２プレート１１２、第１プレート１１０の幅Ｗ１と、窓枠１００の重量とに応じて適宜定めればよい。
【００２４】
図８および図９に示すように、第１プレート１１０、第２プレート１１２および第３プレート１１４それぞれの幅は、共用墓石１４の厚みより若干大きく設定され、いずれのプレートの窓枠１００側と反対の縁部に沿って、縁部のわきに帯状プレート１５０が付設され、帯状プレート１５０には、雌ネジ部が第１プレート１１０、第２プレート１１２および第３プレート１１４の幅方向に延びるようにナット１５２が固定され、ナット１５２の雌ネジ部に螺合可能な雄ネジ４部を有するネジ１５４をナット１５２に螺合することにより、ネジ１５４の先端１５５が共用墓石１４の裏面１６０を正面方向に移動させ、共用墓石１４と嵌め込み部材１０６である金属プレート枠との相対位置関係の微調整を行い、窓枠１００を共用墓石１４に対して強固に固定支持することが可能である。
これにより、窓枠１００を共用墓石１４に対して固定支持するのに、たとえば、共用墓石１４自体にネジ孔を設ける等の加工を施すことなく、共用墓石１４の毀損等の恐れなく、固定支持を可能としている。
変形例として、第１プレート１１０、第２プレート１１２および第３プレート１１４の複数、あるいはいずれかの当接面１１６に、共用墓石１４の内面側に凸をなす板バネ（図示せず）を設け、嵌め込み部材１０６を貫通穴１０４に嵌め込む際、板バネの凸を平坦化させるように変形させ、それにより、板バネの弾性力を通じて、嵌め込み部材１０６を貫通穴１０４に固定してもよい。
【００２５】
貫通穴１０４の窓枠１００側の開口の下縁部には、搬送コンベアー１５８の先端から開口に向かって突出する厨子ストッパー１５６が設けられ、納骨庫への取出し、取り込み時には厨子ストッパー１５６は、たとえば、ダボ１６３を利用した嵌合関係により、着脱自在に設けられ厨子の取り扱いを容易としている。  第１プレート１１０および第２プレート１１２それぞれの第３プレート１１４に接続する縁と対向する縁には、厨子ストッパー１５６に向かって延びる補助プレート１９０（図１４参照）がさらに設けられ、補助プレート１９０の外表面が、貫通穴１０４を構成する共用墓石１４の内面に当接する補助当接面を形成するとともに、窓枠１００側の端縁部には、張り出しフランジ部１０８が設けられる。
厨子ストッパー１５６は、第１プレート部１６２と、第１プレート部１６２に対して直交する第２プレート部１６４とを有する、Ｌ字断面をなすプレート状であり、第１プレート部１６２が、搬送コンベアー１５８が設けられる貫通穴１０４の下面から窓部１２の内方に突出するように設けられる一方、第２プレート部１６４が、貫通穴１０４の下面に沿って、搬送コンベアー１５８側に固定される。第１プレート部１６２の一方のプレート面１６７が、厨子に対する当接面を構成するとともに、他方のプレート面１６９が、窓枠１００が目隠し位置Ｐ２にあるときに、窓枠１００の裏面１６０に対する当接面を構成する。厨子ストッパー１５６の当接面は、厨子を保護する観点から、硬質ゴム製がよい。
【００２６】
より詳細には、厨子ストッパー１５６は、磁性金属製であり、環状枠部の裏面において、窓枠１００を目隠し位置Ｐ２に移動する際、厨子ストッパー１５６に相当する部位には、磁石１６５が設けられ、厨子ストッパー１５６と協働して、窓枠１００を目隠し位置Ｐ２に保持するようにしている。
【００２７】
図６、図８および図９に示すように、窓枠１００が、共用墓石１４に固定される嵌め込み部材１０６に対して回動自在となるように、第３プレート１１４の窓枠１００側の端縁部には、窓枠１００の一方の外縁に沿って、いわゆる従来既知のトルクヒンジ１３１A,Bが設けられ、トルクヒンジ１３１A,B自体が第３プレート１１４に固定される一方、トルクヒンジ１３１A,Bのヒンジ軸１３５が、ボルト１３３を介して窓枠１００の一方の外縁に固定され、それにより、窓枠１００は、窓部１２の周縁を開放した控え位置Ｐ１と、窓部１２の周縁を覆う目隠し位置Ｐ２との間でヒンジ式にOをヒンジ中心として回動可能としている。これにより、窓枠１００は、窓部１２の周縁を開放した控え位置Ｐ１と、窓部１２の周縁を覆う目隠し位置Ｐ２との間の任意位置に保持することが可能である。
なお、トルクヒンジ方式でなく、通常のヒンジ方式として、第３プレート１１４の窓枠１００側の端縁部に窓枠１００の一方の外縁に沿ってヒンジ軸を設け、窓枠１００の一方の外縁に付設され、ヒンジ軸を中心に回転可能にヒンジ軸対して外嵌する第１外嵌部（図示せず）と、窓部１２の一方の外縁に対応する第３プレート１１４の外縁に付設され、ヒンジ軸１３１を中心に回転可能にヒンジ軸１３１に対して外嵌する第２外嵌部（図示せず）とが設けられるのでもよい。
ヒンジ軸を窓部１２にどこに設けるかについて、図１０ないし図１２に示すように、状況に応じて、窓部１２の水平上縁、水平下縁、鉛直右縁、鉛直左縁いずれかに設ければよい。
【００２８】
図１３および図１４に示すように、変形例として、さらに、一端が窓枠１００の対向する一対の外縁それぞれの近傍に対してピン支持された第１ストラット１３８と、一端が第１プレート１１０および第２プレート１１２ぞれぞれの内面の一対の外縁それぞれに対応する外縁に対してピン支持された第２ストラット１４０とを有し、第１ストラット１３８の各々の他端部と対応する第２ストラット１４０の他端部とは、長手方向に摺動可能に嵌合されるとともに、長手方向の所望の位置において固定保持するように構成され、窓枠１００は、控え位置Ｐ１と目隠し位置Ｐ２との間の任意位置において、固定保持可能である。このような構成により、控え位置Ｐ１の窓枠をその位置に保持するのが容易であるとともに、控え位置Ｐ１の位置の調整が可能である。
【００２９】
以上の構成を有する自動搬送式納骨堂１０の作用について、その使用方法に関連して、以下に説明する。
納骨式の際、骨壷を収納した厨子を共用墓石１４の窓部１２から挿入する場合、窓枠１００を共用墓石１４へ取り付ける際、あるいは共用墓石１４からの取り外しの際に、厨子ストッパー１５６を取り外したうえで、金属プレート枠である嵌合部材１０６を介して共用墓石１４に固定保持された窓枠１００を目隠し位置Ｐ２と控え位置Ｐ１との間で移動することにより、窓枠１００を不用意に落下し、窓枠１００を損傷したり、共用墓石１４を傷付けたりすることなく、納骨式を円滑に遂行するのが可能であり、窓枠１００を共用墓石１４から取り外して、別途置き場所を確保する煩雑さを回避することも可能である。
【００３０】
この場合、特に骨壷を収納した厨子を共用墓石１４の窓部１２から挿入後、窓枠１００を目隠し位置Ｐ２に保持することにより、正面側にいる納骨式参列者から厨子の外周縁と窓部１２との間の隙間を通して、共用墓石１４の内部、すなわち、厨子の搬送コンベア１５８等メカニカルな部分が見えてしまい、納骨式の荘厳な雰囲気が損なわれるような事態を回避可能である。
【００３１】
一方、参拝の際、参拝者の厨子がラックから共用墓石１４の内部より厨子搬送コンベア１５８により窓部１２に向かって搬送される際、厨子の停止位置の位置ずれにより、たとえば、厨子が搬送方向に対して斜めに搬送されることにより、前側端面が厨子ストッパー１５６に当った状態で、厨子が万が一窓枠１００を窓部１２から押し出すとしても、窓枠１００は、金属プレート枠を介して共用墓石１４に固定保持されているので、窓枠１００が落下するのを防止することが可能である。
【００３２】
以上のように、このような自動搬送式納骨堂１０によれば、共用墓石１４を利用しつつ、参拝までに遺骨収納厨子のセッティングの準備完了が可能であり参拝の準備を効率的に行えるところ、窓枠の装着、脱着の際の落下等のトラブルで参拝の円滑な進行が損なわれるのでは、このような利点が没却されるが、本窓枠１００は、従来の窓枠のこのようなトラブルを未然に回避するものであり、その意味で自動搬送式納骨堂の利点を十分に生かすことが可能である。
【００３３】
以上の構成を有する自動搬送式納骨堂１０によれば、納骨式の際、窓枠固定支持手段１０２により共用墓石１４により固定支持された状態で、窓枠１００を控え位置Ｐ１まで移動して、窓部１２の周縁を開放することにより、骨壷を収納した厨子を窓部１２より共用墓石１４に挿入することが可能である。
次いで、窓枠固定支持手段１０２により共用墓石１４により固定支持された状態で、窓枠１００を目隠し位置Ｐ２まで移動して、窓部１２の周縁を覆うことにより、共用墓石１４の正面側から窓部１２と厨子の外形との隙間を通じて、共用墓石１４の奥が見えないようにして、納骨式の荘厳な雰囲気を保持することが可能である。
【００３４】
一方、お参りの際、遺骨収納厨子を共用墓石１４の内部から窓部１２に向かって自動搬送式にセットする際、万が一、厨子の位置ズレにより目隠し位置Ｐ２の窓枠１００を共用墓石１４の正面側に押し出すことがあるとしても、窓枠１００は窓枠固定支持手段１０２を通じて共用墓石１４により常時固定支持されているので、窓枠１００が落下して損傷したり、共用墓石１４が傷つくのを未然に防止することが可能である。
以上より、自動搬送式納骨堂１０における共用墓石１４を利用しての納骨式、その後の参拝の際、厨子に取り付けられた墓碑が露出する窓部１２の窓枠１００を不用意に落下して、窓枠１００を損傷したり、墓石を傷付ける恐れなく、円滑な納骨式および参拝が可能である。
【００３５】
以下に、本発明の第２実施形態について、図１５を参照しながら説明する。以下の説明において、第１実施形態と同様な構成要素については、同様な参照番号を付することによりその説明は省略し、以下では、本実施形態の特徴部分について詳細に説明する。
本実施形態の特徴部分は、窓枠１００の共用墓石１４に対する相対移動方式であり、第１実施形態と同様に、窓枠１００は、窓部１２の周縁を開放した控え位置Ｐ１と、窓部１２の周縁を覆う目隠し位置Ｐ２との間で移動可能であるが、窓枠固定支持手段１０２は、窓枠１００の対向する一対の外縁それぞれに沿って設けられた被案内凹部１４２と、窓部１２の一対の外縁それぞれに対応する位置に、被案内凹部１４２に摺動可能に嵌合する案内凸部１４４とが設けられる点にあり、それにより、窓枠１００は、窓部１２の周縁を開放した控え位置Ｐ１と、窓部１２の周縁を覆う目隠し位置Ｐ２との間でスライド式に往復移動可能としている。
なお、図１５は、窓枠１００が窓部１２の周縁を開放した控え位置Ｐ１にある状態を示す。
因みに、凹凸関係を逆として、窓枠１００の対向する一対の外縁それぞれに沿って設けられた被案内凸部と、窓部１２の一対の外縁それぞれに対応する位置に案内凹部とを設けてもよい。
このようなスライド式によれば、第１実施形態のヒンジ式に比べて、窓枠１００を目隠し位置Ｐ２から控え位置Ｐ１へ移動させた際、窓枠１００の共用墓石１４の正面から前方への張り出しを抑制することが可能であり、納骨式の際、厨子を窓部から搬入する場合にも利便性が高い。
【００３６】
以上、本発明の実施形態を詳細に説明したが、本発明の範囲から逸脱しない範囲内において、当業者であれば、種々の修正あるいは変更が可能である。
たとえば、本実施形態において、窓部１２の周縁を開放した控え位置Ｐ１と、窓部１２の周縁を覆う目隠し位置Ｐ２との間で窓枠を移動可能とするのに、複数の共用墓石１４について共通に、ヒンジ式（第１実施形態）またはとスライド式（第２実施形態）とするものとして説明したが、それに限定されることなく、複数の共用墓石１４について、ヒンジ式とスライド式とを混在させてもよい。
たとえば、本実施形態において、金属プレート枠を共用墓石１４の貫通穴１０４に嵌め込むことにより、窓枠１００を共用墓石１４により固定支持するものとして説明したが、それに限定されることなく、このような金属プレート枠を利用せずに、窓枠１００を共用墓石１４により直接固定支持するのでもよく、あるいは、このようなプレート枠の嵌め込み式でなく、たとえば、単一プレートを用いて共用墓石１４の貫通穴１０４の内面に接合するのでもよい。
【００３７】
たとえば、本実施形態において、張り出しフランジ部１０８を金属プレート枠の全周に亘って設けるものとして説明したが、それに限定されることなく、張り出しフランジ部１０８を金属プレート枠の全周の一部、たとえば、金属プレート枠の四隅部にのみ設けるのでもよい。これは、共用墓石１４の厚みが比較的薄く、それに応じて、金属プレート枠の幅が小さくてよい場合には、張り出しフランジ部１０８を設けることにより、金属プレート枠の剛性を確保する必要性が乏しくなることから、特に有用である。
たとえば、本実施形態において、金属プレート枠付きの窓枠１００を具備する新規な共用墓石１４として説明したが、それに限定されることなく、従来の共用墓石１４により固定支持されず、個別の窓枠１００を有する共用墓石１４において、金属プレート枠付きの窓枠１００に交換改造するのでもよい。この場合、金属プレート枠を共用墓石１４に固定するのに、石製の共用墓石１４自体に、たとえば、ネジ留め用の孔を設けることなく、嵌め込み式に固定可能であることから、共用墓石１４の毀損の恐れなく効率的に交換改造可能である。
【図面の簡単な説明】
【００３８】
【図１】本発明の実施形態に係る自動搬送式納骨堂１０において、共用墓石１４の遺骨収納厨子１８が配置された状況を示す概略的な水平断面図である。
【図２】本発明の実施形態に係る自動搬送式納骨堂１０において、共用墓石１４の遺骨収納厨子１８が配置された状況を示す概略的な縦断面図である。
【図３】本発明の実施形態に係る自動搬送式納骨堂１０において、全体の制御系統を示すブロック図である。
【図４】本発明の実施形態に係る自動搬送式納骨堂１０において、第１実施形態の共用墓石１４において、窓枠１００が目隠し位置Ｐ２にある場合の部分斜視図である。
【図５】本発明の実施形態に係る自動搬送式納骨堂１０において、第１実施形態の共用墓石１４において、窓枠１００が控え位置Ｐ１にある場合の部分斜視図である。
【図６】本発明の実施形態に係る自動搬送式納骨堂１０において、第１実施形態の共用墓石１４の窓枠１００の正面図である。
【図７】本発明の実施形態に係る自動搬送式納骨堂１０において、第１実施形態の共用墓石１４の窓枠１００の斜視図である。
【図８】本発明の実施形態に係る自動搬送式納骨堂１０において、第１実施形態の共用墓石１４において、窓枠１００が目隠し位置Ｐ２にある場合の窓枠１００まわりの部分断面図である。
【図９】本発明の実施形態に係る自動搬送式納骨堂１０において、第１実施形態の共用墓石１４において、窓枠１００が控え位置Ｐ１にある場合の窓枠１００まわりの部分断面図である。
【図１０】本発明の実施形態に係る自動搬送式納骨堂１０において、第１実施形態の変形例の共用墓石１４において、窓枠１００が控え位置Ｐ１にある場合の図５と同様な図である。
【図１１】本発明の実施形態に係る自動搬送式納骨堂１０において、第１実施形態の変形例の共用墓石１４において、窓枠１００が控え位置Ｐ１にある場合の図５と同様な図である。
【図１２】本発明の実施形態に係る自動搬送式納骨堂１０において、第１実施形態の変形例の共用墓石１４において、窓枠１００が控え位置Ｐ１にある場合の図５と同様な図である。
【図１３】本発明の実施形態に係る自動搬送式納骨堂１０において、第１実施形態の変形例の共用墓石１４において、窓枠１００が控え位置Ｐ１にある場合の図５と同様な図である。
【図１４】本発明の実施形態に係る自動搬送式納骨堂１０において、図１３の共用墓石１４において、図７と同様な図である。
【図１５】本発明の実施形態に係る自動搬送式納骨堂１０において、第２実施形態の共用墓石１４において、窓枠１００が控え位置Ｐ１にある場合の図５と同様な図である。
【符号の説明】
【００３９】
Ｂ    ブース
Ｃ    ＩＤカード
O    ヒンジ中心  
Ｐ１  控え位置
Ｐ２  目隠し位置
Ｗ１  プレート幅
１０  自動搬送式納骨堂
１１  納骨庫
１２  窓部
１４  共用墓石
１６  石塔状の本体
１８  遺骨収納厨子
２０  香炉台
２１  銘板部分
５０  固定パネル
５２  扉
５８  上面
５９  正面  
６２  進入路
６４  搬送路
６６  背板
６８  台座
７０  開口
７２  仕切壁
７４  固定パネル
７６  花立て
７８  抹香入れ
８０  受け面
８２  支持部材
８３  制御装置
８４  操作部
８５  搬送駆動部
８６  着脱駆動部
８７  扉開閉駆動部
１００  窓枠
１０２  窓枠固定支持手段
１０４  貫通穴
１０６  嵌め込み部材
１０８  張り出しフランジ部
１１０  第１プレート
１１２  第２プレート
１１４  第３プレート
１１６  当接面
１１８  補助プレート  
１２０  補助当接面
１３０  ヒンジ部
１３１  ヒンジ軸
１３３  ボルト
１３５  ヒンジ軸
１３６  矩形開口
１３８  第１ストラット
１４０  第２ストラット
１４２  被案内凹部
１４４  案内凸部
１５０  帯状プレート
１５２  ナット
１５４  ネジ
１５５  ネジ先端
１５６  厨子ストッパー
１５８  搬送コンベア
１６０  裏面
１６２  第１プレート部
１６３  ダボ
１６４  第２プレート部
１６５  磁石  
１６７  一方のプレート面
１６９  他方のプレート面
１９０  補助プレート
【図１】
2017036593.tif 000003
【図２】
2017036593.tif 000004
【図３】
2017036593.tif 000005
【図４】
2017036593.tif 000006
【図５】
2017036593.tif 000007
【図６】
2017036593.tif 000008
【図７】
2017036593.tif 000009
【図８】
2017036593.tif 000010
【図９】
2017036593.tif 000011
【図１０】
2017036593.tif 000012
【図１１】
2017036593.tif 000013
【図１２】
2017036593.tif 000014
【図１３】
2017036593.tif 000015
【図１４】
2017036593.tif 000016
【図１５】
2017036593.tif 000017